(57)【要約】【課題】  セキュリティ機能の向上や使い勝手の向上を容易に図ることのできる電子機器を提供する。【解決手段】  機器本体２と、この機器本体２に対して開閉可能に形成された蓋部材３と、機器本体２に配設され外部からの操作を規制あるいは規制解除する操作規制手段３３と、この操作規制手段３３の動作を指紋認証に基づいて制御するための指紋センサ１１を具備する指紋認証装置５とを設け、指紋認証装置５の少なくとも指紋センサ１１を、指紋認証に基づいて機器本体２から取り外し可能に形成する。【選択図】      図１
2005215747.tif 000002
【特許請求の範囲】
【請求項１】
機器本体と、この機器本体に対して開閉可能に形成された蓋部材と、前記機器本体に配設され外部からの操作を規制あるいは規制解除する操作規制手段と、この操作規制手段の動作を指紋認証に基づいて制御するための指紋センサを具備する指紋認証装置とを有する電子機器であって、
前記指紋認証装置の少なくとも指紋センサが、指紋認証に基づいて前記機器本体から取り外し可能に形成されていることを特徴とする電子機器。
【請求項２】
前記指紋認証装置の指紋センサが、常に外部に露出されていることを特徴とする請求項１に記載の電子機器。
【請求項３】
前記蓋部材が閉じた状態で、前記指紋認証装置の指紋センサに予め記憶された指紋情報が入力された場合、前記操作規制手段による外部からの操作を規制する規制状態を解除するように形成されていることを特徴とする請求項１または請求項２に記載の電子機器。
【請求項４】
前記蓋部材が開いた状態で、前記指紋認証装置の指紋センサに予め記憶された指紋情報が入力された場合、前記電子機器の操作を許可するように形成されていることを特徴とする請求項１ないし請求項３のいずれか１項に記載の電子機器。
【発明の詳細な説明】
【技術分野】
【０００１】
本発明は、特定の利用者を指紋により認証することで、操作対象者を限定することのできる電子機器に関する。
【背景技術】
【０００２】
近年、本人しか持ちえない生体情報（Biometrics）を利用して本人であることを認証する装置を備えた電子機器が、予め登録された特定の利用者以外には機器の使用を行わせないことができるなどのセキュリティ機能を容易に確保することができるなどの理由により実用化されている。
【０００３】
この種の電子機器として、例えば特定の利用者を指紋情報により認証する指紋認証装置を備えたコンピュータ、すなわち指紋センサを具備する指紋認証装置をＰＣカードとし、このＰＣカードをコンピュータの拡張スロットに差し込んで、特定の利用者を指紋により認証するものが提案されている（例えば、特許文献１参照）。
【０００４】
また、指紋認証装置を備えた携帯可能なパーソナルコンピュータ、すなわち機器本体と、この機器本体に対して開閉自在とされるとともに本体側に表示部を具備する蓋とを備え、機器本体の入力部が配置され閉状態の蓋によって覆われる操作部に指紋認証装置の指紋センサを設け、特定の利用者を指紋により認証するものも提案されている（例えば、特許文献２参照）。
【０００５】
【特許文献１】特開２０００−２９３６８８号公報
【特許文献２】特開２００２−１２３８２１号公報
【発明の開示】
【発明が解決しようとする課題】
【０００６】
ところで、近年においては各種装置の高性能化が求められており、各種装置の高性能化の一つとして、電子機器においてもセキュリティ機能の向上や使い勝手の向上が求められている。
【０００７】
本発明はこのような点に鑑みてなされたものであり、セキュリティ機能の向上や使い勝手の向上を容易に図ることのできる電子機器を提供することを目的とする。
【課題を解決するための手段】
【０００８】
前述した目的を達成するため、本発明の電子機器の特徴は、機器本体と、この機器本体に対して開閉可能に形成された蓋部材と、前記機器本体に配設され外部からの操作を規制あるいは規制解除する操作規制手段と、この操作規制手段の動作を指紋認証に基づいて制御するための指紋センサを具備する指紋認証装置とを有する電子機器であって、前記指紋認証装置の少なくとも指紋センサが、指紋認証に基づいて前記機器本体から取り外し可能に形成されている点にある。そして、このような構成を採用したことにより、予め登録された特定の利用者を指紋により認証して操作対象者を限定することができるとともに、特定の利用者が指紋認証装置を鍵のように携帯することができるので、指紋センサに付着した指紋から指紋のコピーが作成されるなどして不正使用されるのを防止することができる。
【０００９】
本発明の電子機器においては、前記指紋認証装置の指紋センサが、常に外部に露出されていることが好ましい。そして、このような構成を採用したことにより、指紋センサに対する指紋情報の入力を容易に行うことができる。
【００１０】
また、本発明の電子機器においては、前記指紋認証装置が、前記指紋センサに予め記憶された指紋情報が入力された場合、前記操作規制手段による外部からの操作を規制する規制状態を解除するように形成されていることが好ましい。そして、このような構成を採用したことにより、セキュリティ機能をより向上させることができる。
【００１１】
さらに、本発明の電子機器においては、前記指紋認証装置が、前記指紋センサに予め記憶された指紋情報が入力された場合、前記電子機器の操作を許可するように形成されていることが好ましい。そして、このような構成を採用したことにより、セキュリティ機能をより一層向上させることができる。
【発明の効果】
【００１２】
本発明に係る電子機器によれば、セキュリティ機能の向上や使い勝手の向上を容易に図ることができるなどの極めて優れた効果を奏する。
【発明を実施するための最良の形態】
【００１３】
以下、本発明を図面に示す実施形態により説明する。
【００１４】
図１および図２は本発明に係る電子機器の実施形態であるノートパソコンを示すものであり、図１は表示部を開いた開状態における要部の外観斜視図、図２は表示部を閉じた閉状態における要部の外観斜視図である。
【００１５】
本実施形態の電子機器としては、開閉可能な表示部を備えたノートパソコンを例示している。
【００１６】
図１および図２に示すように、本実施形態の電子機器としてのノートパソコン（ノートブックパーソナルコンピュータ）１は、機器本体の一例としてのコンピュータ本体２と、機器本体に対して開閉可能に形成された蓋部材の一例としてのコンピュータ本体２に対してヒンジなどによって任意の開閉角度に開いた状態で支持される表示部３とを有している。このコンピュータ本体２に対して表示部３が開いた開状態を図１に、コンピュータ本体２に対して表示部３が閉じた閉状態を図２に示す。また、ノートパソコン１は、コンピュータ本体２の図１の手前側が利用者が操作を行う操作側となる正面側ＦＳとされており、図１の奥側が操作側の反対側となる背面側ＲＳとされている。そして、表示部３は、コンピュータ本体２の背面側ＲＳを回動支点として開閉可能に配置されている。
【００１７】
前記コンピュータ本体２には、少なくともキーボードなどの入力手段４および指紋認証装置５、着脱機構６、開閉機構７が配設されており、表示部３のコンピュータ本体２との対向面である内面には、少なくとも液晶表示パネルなどの表示装置８が配設されている。また、コンピュータ本体２の内部には、後述する少なくともコンピュータ本体２の動作制御を司る本体制御部９が配設されている。
【００１８】
前記指紋認証装置５は、特定の利用者を本人しか持ちえない生体情報の一つである指紋情報により本人を認証するためのものであり、図１に示すように、コンピュータ本体２の上面の背面側ＲＳのほぼ中央部に着脱可能に配設されている。また、指紋認証装置５は、その上部がコンピュータ本体２の上面から突出するように配設されいる。一方、表示部３の基端側における左右中央部には、指紋認証装置５と対向するように平面ほぼコ字状の開口１０が形成されており、この開口１０によって、図２に示す閉状態においては、開口１０内に指紋認証装置５が嵌合することにより指紋認証装置５の上面と表示部３の外面とがほぼ面一となるように形成されている。また、指紋認証装置５の上面には、指紋情報の検出に用いる指紋センサ１１が配設されている。この指紋センサ１１は、表示部３の開閉状態にかかわらず、常に外部に露出されるようになっている。
【００１９】
なお、指紋認証装置５の配設位置としては、表示部３の開閉位置にかかわらず指紋センサ１１が常に外部に露出される位置であればよく、例えば、図３に示すコンピュータ本体２の側面としたり、図４に示すコンピュータ本体２の上面の正面側ＦＳのほぼ中央部としたり、図５に示す表示部３の正面側ＦＳのほぼ中央部とすることができる。なお、図５に示す指紋認証装置５を表示部３に配設する場合には、図５に想像線にて示すように指紋認証装置５を表裏反転可能なように回動可能とするとよい。また、図６に示すように、コンピュータ本体２の上面の正面側ＦＳに、常に外部に露出される副表示装置１２が配設される構成の場合には、コンピュータ本体２の上面の副表示装置１２の側方に配設することができる。この場合、指紋認証装置５の上面とコンピュータ本体２の上面とがほぼ面一となるように形成するとよい。
【００２０】
ここで、指紋認証装置５の一例について図７により説明する。
【００２１】
図７は指紋認証装置の一例を示すブロック図である。
【００２２】
図７に示すように、本実施形態の指紋認証装置５は、少なくとも指紋認証用ＣＰＵ１３および指紋認証用メモリ１４などにより形成された指紋認証制御部１５を有している。この指紋認証制御部１５には、少なくとも指紋センサ１１および送信側通信デバイス１６がそれぞれ図示しないコントローラを介して電気的に接続されている。そして、指紋認証装置５は、指紋認証制御部１５により、指紋センサ１１が検出した指紋情報の認証、詳しくは指紋センサ１１が検出した指紋情報が予め指紋認証用メモリ１４に記憶された特定の利用者の指紋情報と照合して正しいか否か、すなわち、指紋センサ１１が検出した指紋情報が予め指紋認証用メモリ１４に記憶された特定の利用者の指紋情報と同一か否かを判断することができるようになっている。また、指紋認証制御部１５は、指紋センサ１１が検出した指紋情報を、指紋認証用メモリ１４に予め記憶された特定の利用者の指紋情報と照合して正しい場合、すなわち、指紋センサ１１が検出した指紋情報と予め記憶された特定の利用者の指紋情報とが同一と判断した場合に、送信側通信デバイス１６から指紋認証が適正に行われたことを示す認証信号を送信することができるようになっている。
【００２３】
なお、指紋認証装置５としては、ＰＣカードあるいはＩＣカードのようなカードタイプのものであってもよい。
【００２４】
また、指紋認証装置５のその他の構成については、従来公知のものと同様とされているので、その詳しい説明は省略する。
【００２５】
さらに、指紋認証装置５としては、少なくとも指紋センサ１１が着脱可能なものであってもよい。
【００２６】
つぎに、着脱機構６の一例について図１および図８により説明する。
【００２７】
図８は、着脱機構の一例を示す構成図である。
【００２８】
前記着脱機構６は、コンピュータ本体２に対する指紋認証装置５の着脱を制御するためのものであり、図１に示すように、指紋認証装置５の右側方に配設されている。この着脱機構６は、図８に示すように、着脱用電磁ソレノイド１７と、この着脱用電磁ソレノイド１７のロッド１７ａの先端に取着された着脱用ロックピン１８と、ロッド１７ａの外周に装着された着脱ロック用付勢ばね１９とを有している。また、着脱用電磁ソレノイド１７は、後述する本体制御部９に設けられた着脱動作制御部２０に図示しないコントローラを介して電気的に接続されている。
【００２９】
そして、着脱機構６は、着脱用電磁ソレノイド１７の動作を本体制御部９の着脱動作制御部２０から送出される制御指令に基づいて制御することで、図８に実線にて示す着脱用ロックピン１８の先端が指紋認証装置５に設けられた係合孔２１の前方において待機した後退位置と、着脱用ロックピン１８の先端が図８の想像線にて示す前方に突出して指紋認証装置５に設けられた係合孔２１の内部に嵌合した前進位置との２位置を選択的に取り得るように形成されている。
【００３０】
すなわち、本実施形態の着脱機構６は、着脱用ロックピン１８を後退位置に保持した規制解除状態では、利用者による外部からの操作によってコンピュータ本体２から指紋認証装置５を取り外すことができ、着脱用ロックピン１８を前進位置に保持した規制状態では、指紋認証装置５をコンピュータ本体２に装着した装着状態を保持するように形成されている。
【００３１】
なお、着脱機構６としては、特に本実施形態の着脱機構６の構成に限定されるものではなく、従来公知の各種の構成から設計コンセプトや指紋認証装置５の形状などの必要に応じて変更することができる。
【００３２】
また、着脱機構６の配設位置としては、指紋認証装置５の配設位置に応じて変更することができる。
【００３３】
さらに、指紋認証装置５として指紋センサ１１を着脱可能なものを用いる場合には、着脱機構６としては、指紋センサ１１のみの着脱を制御する構成としてもよい。
【００３４】
したがって、指紋認証装置５の少なくとも指紋センサ１１がコンピュータ本体２から取り外し可能に形成されていればよい。
【００３５】
つぎに、開閉機構７の一例について図１および図９により説明する。
【００３６】
図９は、開閉機構の一例を示す構成図である。
【００３７】
前記開閉機構７は、コンピュータ本体２に対する表示部３の開閉を制御するためのものであり、図１に示すように、コンピュータ本体２の正面側ＦＳの右端部近傍に配設されている。この開閉機構７は、図９に示すように、開閉用電磁ソレノイド２２と、この開閉用電磁ソレノイド２２のロッド２２ａの先端に取着された開閉用ロックピン２３と、ロッド２２ａの外周に装着された開閉用付勢ばね２４とを有している。また、開閉用電磁ソレノイド２２は、後述する本体制御部９に設けられた開閉動作制御部２５に図示しないコントローラを介して電気的に接続されている。
【００３８】
そして、開閉機構７は、開閉用電磁ソレノイド２２の動作を本体制御部９の開閉動作制御部２５から送出される制御指令に基づいて制御することで、コンピュータ本体２に対して表示部３が閉じた閉状態において、図９に実線にて示す開閉用ロックピン２３の先端が表示部３の内面の正面側ＦＳの中央部分に下方に向けて突設された係合体２６の係合孔２６ａの前方において待機した後退位置と、開閉用ロックピン２３の先端が図９の想像線にて示す前方に突出して係合体２６の係合孔２６ａの内部に嵌合した前進位置との２位置を選択的に取り得るように形成されている。
【００３９】
すなわち、本実施形態の開閉機構７は、開閉用ロックピン２３を後退位置に保持した規制解除状態では、利用者による外部からの操作によってコンピュータ本体２に対して表示部３が開いた開状態とすることができ、開閉用ロックピン２３を前進位置に保持した規制状態では、コンピュータ本体２に対して表示部３が閉じた閉状態を保持するように形成されている。
【００４０】
なお、開閉機構７としては、特に本実施形態の開閉機構７の構成に限定されるものではなく、従来公知の各種の構成から設計コンセプトや情報処理装置の形状などの必要に応じて変更することができる。
【００４１】
また、開閉機構７の配設位置としては、設計コンセプトなどの必要に応じて変更することができる。
【００４２】
つぎに、本体制御部９の一例について図１０により説明する。
【００４３】
図１０は本体制御部を示すブロック図である。
【００４４】
図１０に示すように、本実施形態の本体制御部９は、少なくとも本体用ＣＰＵ２７と、適宜な容量のＲＯＭ、ＲＡＭなどにより形成された本体用メモリ２８とを有している。この本体制御部９には、少なくとも入力手段４、表示装置８、着脱機構６の着脱用電磁ソレノイド１７、開閉機構７の開閉用電磁ソレノイド２２、受信側通信デバイス２９、指紋認証装置５の着脱状態を検出する着脱センサ３０、表示部３の開閉状態を検出する開閉センサ３１および図示しない電源スイッチなどのスイッチ類がそれぞれのコントローラを介して電気的に接続されている。
【００４５】
なお、コンピュータ本体２には、仕様や設計コンセプトなどの必要に応じて他の機器、例えばトラックボール、ＣＤ−ＲＯＭドライブ、プリンタなどが接続可能になっており、これらの機器も本体制御部９に電気的に接続されるようになっている。
【００４６】
また、着脱センサ３０および開閉センサ３１としては、従来公知のフォトインタラプタに代表される非接触式センサ、マイクロスイッチに代表される接触式センサなどから設計コンセプトなどの必要に応じて選択使用することができる。
【００４７】
前記本体用ＣＰＵ２７は、本体用メモリ２８に記憶された各種のプログラムおよび種々のデータに基づいて各種の演算処理を行うことでノートパソコン１の動作を実質的に制御するものである。
【００４８】
前記本体用メモリ２８には、少なくとも着脱機構６の動作制御を行うためのプログラムおよびデータ、開閉機構７の動作制御を行うためのプログラムおよびデータ、ノートパソコン１に対するログインに必要な動作制御を行うためのプログラムおよびデータ、入力手段４の動作制御を行うためのプログラムおよびデータ、表示装置８の動作制御を行うためのプログラムおよびデータ、電源投入時のイニシャライズ動作を実行するのに必要なプログラムおよびデータなどの各種のプログラムおよび種々のデータなどが記憶されている。
【００４９】
すなわち、本体制御部９には、着脱機構６の動作制御を行う着脱動作制御部２０としての機能、開閉機構７の動作制御を行う開閉動作制御部２５としての機能およびノートパソコン１へのログインの動作制御を行うログイン動作制御部３２としての機能が設けられている。
【００５０】
前記着脱機構６の動作制御を行うプログラムとしては、例えば、コンピュータ本体２に指紋認証装置５が装着され、かつコンピュータ本体２に対して表示部３が閉じた状態で、指紋認証装置５の送信側通信デバイス１６から送信された認証信号を、受信側通信デバイス２９が受信した場合、すなわち、指紋認証装置５の指紋センサ１１に予め記憶された指紋情報が入力された場合に、着脱機構６の着脱用ロックピン１８を着脱ロック用付勢ばね１９の付勢力に抗して後退位置に移動した規制解除状態とし、利用者による外部からの操作によってコンピュータ本体２から指紋認証装置５を取り外すことができるものを例示できる。
【００５１】
なお、受信側通信デバイス２９が認証信号を受信しない場合には、着脱機構６の着脱用ロックピン１８を着脱ロック用付勢ばね１９の付勢力によって指紋認証装置５に設けられた係合孔２１の内部に嵌合した前進位置に保持した規制状態とし、指紋認証装置５をコンピュータ本体２に装着した装着状態を保持するようになっている。
【００５２】
また、コンピュータ本体２に対する指紋認証装置５の着脱状態は、着脱センサ３０からの検出信号によって容易に判別することができ、表示部３の閉状態は、開閉センサ３１からの検出信号によって容易に判別することができるようになっている。
【００５３】
前記開閉機構７の動作制御を行うプログラムとしては、例えば、表示部３が閉じた閉状態で、指紋認証装置５の送信側通信デバイス１６から送信された認証信号を受信側通信デバイス２９が受信した場合、すなわち、表示部３が閉じた閉状態で指紋認証装置５の指紋センサ１１に予め記憶された指紋情報が入力された場合に、開閉機構７の開閉用ロックピン２３を開閉用付勢ばね２４の付勢力に抗して後退位置に移動した規制解除状態とし、利用者による外部からの操作によってコンピュータ本体２から表示部３を開くことができるものを例示できる。
【００５４】
なお、受信側通信デバイス２９が認証信号を受信しない場合には、開閉機構７の開閉用ロックピン２３を開閉用付勢ばね２４の付勢力によって表示部３の係合体に設けられた係合孔の内部に嵌合した前進位置に保持した規制状態とし、コンピュータ本体２に対して表示部３が閉じた閉状態を保持するようになっている。
【００５５】
また、開閉機構７の動作制御は、コンピュータ本体２に対して指紋認証装置５が装着されている場合に実行されるようになっている。
【００５６】
さらに、表示部３の閉状態は、開閉センサ３１からの検出信号によって容易に判別することができる。
【００５７】
前記ノートパソコン１へのログインの動作制御を行うプログラムとしては、例えば、表示部３が開いた開状態で、指紋認証装置５の送信側通信デバイス１６から送信された認証信号を受信側通信デバイス２９が受信した場合、すなわち、表示部３が開いた開状態で指紋認証装置５の指紋センサ１１に予め記憶された指紋情報が入力された場合に、ノートパソコン１へのログインを許可、例えば表示装置８にログイン画面を表示するものを例示できる。
【００５８】
なお、受信側通信デバイス２９が認証信号を受信しない場合には、ノートパソコン１へのログインを不許可、例えば表示装置８にログイン画面を表示せずに指紋認証を要求する待ち受け画面を表示するものを例示できる。
【００５９】
また、ログインの動作制御は、コンピュータ本体２に対して指紋認証装置５が装着され、かつ、コンピュータ本体２に対して表示部３が開いた開状態の場合に実行されるようになっている。
【００６０】
さらに、表示部３の開状態は、開閉センサ３１からの検出信号によって容易に判別することができる。
【００６１】
前記着脱動作制御部２０、開閉動作制御部２５およびログイン動作制御部３２のそれぞれにより、本実施形態のコンピュータ本体２に配設され外部からの操作を規制あるいは規制解除する操作規制手段３３が構成されている。
【００６２】
なお、着脱機構６に、着脱動作制御部２０と、受信側通信デバイス２９とを単独で設ける構成としてもよい。このような構成とすることで、着脱機構６をユニット化することができる。
【００６３】
また、開閉機構７に、開閉動作制御部２５と、受信側通信デバイス２９とを単独で設ける構成としてもよい。このような構成とすることで、開閉機構７をユニット化することができる。
【００６４】
つぎに、前述した構成からなる本実施形態の作用について説明する。
【００６５】
本実施形態のノートパソコン１を使用するには、コンピュータ本体２に指紋認証装置５を装着したうえで、利用者が指紋認証装置５の指紋センサ１１に予め記憶された指紋情報を入力する。この入力により開閉機構７の開閉用ロックピン２３が後退位置に移動して表示部３の開閉動作が可能な規制解除状態となる。ついで、利用者がコンピュータ本体２に対して表示部３を開く操作を実行した後、指紋認証装置５の指紋センサ１１に予め記憶された指紋情報を再入力する。この指紋情報の再入力により、コンピュータ本体２の操作規制手段３３としてのログイン動作制御部３２は、各部を入力手段４の外部からの操作を許可するログイン状態とし、利用者による使用が可能になる。なお、指紋情報の入力とは、利用者の指先の内側にある模様を指紋センサに接触させることである。
【００６６】
このように、本実施形態のノートパソコン１によれば、指紋認証装置５によって予め登録された特定の利用者を指紋情報により認証して操作対象者を限定することができる。
【００６７】
また、本実施形態のノートパソコン１によれば、コンピュータ本体２に対して表示部３を閉じた閉状態において、指紋認証装置５の指紋認証によって指紋認証装置５をコンピュータ本体２から取り外すことができる。その結果、特定の利用者が指紋認証装置５を鍵として携帯することが可能になるので、セキュリティ機能を向上することができる。
【００６８】
例えば、ノートパソコン１に指紋認証装置５を固定した場合に危惧される指紋センサ１１からの指紋の複製の作成による不正使用を防止することができる。
【００６９】
すなわち、指紋認証装置５が無い状態で、開閉機構７によりコンピュータ本体２に対して表示部３が閉じた閉状態とされているので、仮に指紋のコピーを作成しても表示部３を開くことができない。
【００７０】
また、指紋認証装置５を携帯することにより、指紋認証装置５の指紋センサ１１の損傷防止を図ることができる。
【００７１】
なお、利用者が指紋認証装置５を携帯するか否かは、利用者が、セキュリティの高さを重視するか、指紋認証装置５の紛失防止を重視するかで任意に選択することができる。
【００７２】
また、本実施形態のノートパソコン１によれば、指紋認証装置５の指紋センサ１１が常に外部に露出されているので、利用者の指紋情報を容易に指紋センサ１１に読み取らせることができる。その結果、指紋認証時における使い勝手を向上することができる。
【００７３】
さらに、本実施形態のノートパソコン１によれば、コンピュータ本体２に対して表示部３を閉じた閉状態で、指紋センサ１１に予め記憶された指紋情報が入力された場合、すなわち、指紋認証装置５の指紋センサ１１に予め記憶された指紋情報が入力された場合に、操作規制手段３３としての開閉機構７が表示部３の外部からの操作を規制する規制状態、すなわち、コンピュータ本体２に対して表示部３が閉じた閉状態を保持するロック状態を解除して、表示部３を開くことができるように形成されているので、セキュリティ機能をより向上することができる。
【００７４】
さらにまた、本実施形態のノートパソコン１によれば、コンピュータ本体２に対して表示部３を開いた開状態で、指紋センサ１１に予め記憶された指紋情報が入力された場合、すなわち、指紋認証装置５の指紋センサ１１に予め記憶された指紋情報が入力された場合に、操作規制手段３３としてのログイン動作制御部３２が入力手段４の外部からの操作を規制する規制状態、すなわち、コンピュータ本体２に対して操作入力を受け付けない状態を保持するロック状態を解除して、操作入力を許可するログイン状態とすることができるように形成されているので、セキュリティ機能をより一層向上させることができる。
【００７５】
したがって、本実施形態のノートパソコン１によれば、多重のセキュリティ機能による高いセキュリティの確保と、指紋認証装置５の使い勝手の向上を容易に図ることができる。
【００７６】
本発明に係る電子機器は、ノートパソコンに限らず、コンピュータ、携帯情報端末をはじめ、複写機、ファクシミリなどの各種の情報処理装置や情報処理に関連するデータ記憶や通信を行う装置や、車両やドアの鍵のセキュリティの向上に用いることができる。
【００７７】
なお、本発明は、前述した実施形態に限定されるものではなく、必要に応じて種々の変更が可能である。
【図面の簡単な説明】
【００７８】
【図１】本発明に係る電子機器の実施形態であるノートパソコンの表示部を開いた開状態における要部を示す外観斜視図
【図２】図１のノートパソコンの表示部を閉じた閉状態における要部を示す外観斜視図
【図３】図１の指紋認証装置の配設位置の変形例を示す外観斜視図
【図４】図１の指紋認証装置の配設位置の他の変形例を示す外観斜視図
【図５】図１の指紋認証装置の配設位置のさらに他の変形例を示す外観斜視図
【図６】図１の指紋認証装置の配設位置のさらにまた他の変形例を示す外観斜視図
【図７】図１の指紋認証装置の一例を示すブロック図
【図８】図１の着脱機構の一例を示す構成図
【図９】図１の開閉機構の一例を示す構成図
【図１０】図１のノートパソコンの本体制御部を示すブロック図
【符号の説明】
【００７９】
１  ノートパソコン
２  コンピュータ本体
３  表示部
４  入力手段
５  指紋認証装置
６  着脱機構
７  開閉機構
８  表示装置
９  本体制御部
１１  指紋センサ
１５  指紋認証制御部
１６  送信側通信デバイス
１７  着脱用電磁ソレノイド
２０  着脱動作制御部
２２  開閉用電磁ソレノイド
２５  開閉動作制御部
２９  受信側通信デバイス
３２  ログイン動作制御部
３３  操作規制手段
ＦＳ  正面側
ＲＳ  背面側
【図１】
2005215747.tif 000003
【図２】
2005215747.tif 000004
【図３】
2005215747.tif 000005
【図４】
2005215747.tif 000006
【図５】
2005215747.tif 000007
【図６】
2005215747.tif 000008
【図７】
2005215747.tif 000009
【図８】
2005215747.tif 000010
【図９】
2005215747.tif 000011
【図１０】
2005215747.tif 000012